(57)【要約】【課題】  彫刻針と被彫刻板の相対運動によって走査式に特殊合成紙やプラスチック製の薄板に彫刻により画像を形成された画像カードにおいて、視点の違いによって見える隠し画像を形成することや、透かし彫りによって形成された画像と前記隠し画像を同一平面内に形成することはできなかった。【解決手段】  画像カードに縞状のパターンの縞の角度を画像の濃淡に合わせて変化させて彫刻することにより隠し画像を形成した。また、同方法による隠し画像と透かし彫りによる画像を同一平面内に形成することにより課題を解決した。【選択図】図３
2009119790.tif 000002
【特許請求の範囲】
【請求項１】
カード基材に彫刻により画像を形成された画像カードであって、
画像の濃淡の度合いに呼応して、角度を異ならせた縞状の溝を前記彫刻によって形成することにより前記画像を形成した
ことを特徴とする画像カード。
【請求項２】
請求項１記載の画像カードであって、
前記画像の濃淡が２値であって、前記２値の濃淡をそれぞれ直行する縞状の溝によって前記画像を形成した
ことを特徴とする画像カード。
【請求項３】
請求項１または２に記載の画像カードであって、
前記カード基材が透明である透明層と不透明である不透明層との少なくとも２層からなる構造を有しており、前記彫刻が前記不透明層側から行われ、前記縞状の溝は前記不透明層を削り取り前記透明層に達している
ことを特徴とする画像カード。
【請求項４】
請求項１から３のいずれかに記載の画像カードであって、
画像の濃淡の度合いに呼応して、彫刻によって残された層の厚さを変化させることによる透かし彫り画像を形成し、
前記縞状の溝により形成された画像と前記透かし彫りにより形成された画像とを同一平面に形成した
ことを特徴とする画像カード。
【発明の詳細な説明】
【技術分野】
【０００１】
紙又はプラスチック製のカード基板に、彫刻によって画像を形成された画像カードにおいて、彫刻の削り取り量によってカードの厚みを変化させて画像を形成する透かし彫りに加えて、縞状の溝のカード平面内の角度を変更することによって形成される隠し画像を重ねて彫刻する方法により、前記透かし彫り画像と前記隠し画像を重ねて形成可能とする画像カード。
【背景技術】
【０００２】
彫刻針と被彫刻板（画像カード）の相対運動によって、走査式に紙やプラスチック製の薄板に彫刻を行う画像彫刻装置がある（特許文献１参照）。この画像彫刻装置では、基台（支持台）上に取り付けられた被彫刻板が水平方向に往復運動を行い、垂直方向から降ろされた前記彫刻針が前記被彫刻板に接して表面を削り取ることにより、被彫刻板の厚さ方向を変化させて透かし彫りを行う。
【０００３】
このようにして透かし彫りがなされた前記被彫刻板（画像カード）は、個人認証カードや重要書類用のセキュリティシートとして用いられる（特許文献２、３参照）。これらセキュリティ上の書類として用いられる画像カードでは、隠し画像を埋め込むことによりその正当性を示そうとする技術的要求があるが、これまで前記彫刻において隠し画像を形成する方法はなかった。
【０００４】
従来技術として、印刷物において縞状のパターンである万線パターンを異なる角度に配置したものを印刷することにより、オリジナルの印刷物とその複写物を区別させる方法はあった（特許文献４）が、彫刻物による立体的な形状を用いて隠し画像を埋め込む方法や、同一平面内に隠し画像と透かし彫りとを組み合わせて形成する方法は無かった。
【０００５】
【特許文献１】特開平０５−０２４３９４号公報
【特許文献２】特開２００７−１１８３９５号公報
【特許文献３】特開２００７−１３０８５５号公報
【特許文献４】特開平１０−２９７０７７号公報
【発明の開示】
【発明が解決しようとする課題】
【０００６】
解決しようとする問題点は、彫刻によって作成された画像カードにおいて、隠し画像を形成することや、透かし彫りによって形成された画像と前記隠し画像を同一平面内に形成することができなかった点である。
【課題を解決するための手段】
【０００７】
本発明の画像カードは、紙又はプラスチック製のカードに彫刻により画像を形成された画像カードであって、画像の濃淡の度合いに呼応して、角度を異ならせた縞状の溝を前記彫刻によって形成することにより前記画像を形成したことを最も主要な特徴とする。
【０００８】
又、本発明の画像カードは、前記画像カードであって、前記画像の濃淡が２値であって、前記２値の濃淡をそれぞれ直行する縞状の溝によって前記画像を形成したことを特徴とする。
【０００９】
又、本発明の画像カードは、前記画像カードであって、前記カード基材が透明である透明層と不透明である不透明層との少なくとも２層からなる構造を有しており、前記彫刻が前記不透明層側から行われ、前記縞状の溝は前記不透明層を削り取り前記透明層に達していることを特徴とする。
【００１０】
又、本発明の画像カードは、前記画像カードであって、画像の濃淡の度合いに呼応して、彫刻によって残された層の厚さを変化させることによる透かし彫り画像を形成し、前記縞状の溝により形成された画像と前記透かし彫りにより形成された画像とを同一平面に形成したことを特徴とする。
【発明の効果】
【００１１】
本発明の画像カードは、紙又はプラスチック製のカードに彫刻により画像を形成された画像カードであって、画像の濃淡の度合いに呼応して、角度を異ならせた縞状の溝を前記彫刻によって形成することにより前記画像を形成したことを最も主要な特徴とするため、画像カードの斜め方向で縞状の溝に平行な角度上の視点から画像カードを観察することにより現れる隠し画像を埋め込むことが可能となった。
【００１２】
又、本発明の画像カードは、前記画像カードであって、前記画像の濃淡が２値であって、前記２値の濃淡をそれぞれ直行する縞状の溝によって前記画像を形成したことを特徴とするため、２値の濃淡を持つコントラストの高い隠し画像を埋め込むことが可能となった。
【００１３】
又、本発明の画像カードは、前記画像カードであって、前記カード基材が透明である透明層と不透明である不透明層との少なくとも２層からなる構造を有しており、前記彫刻が前記不透明層側から行われ、前記縞状の溝は前記不透明層を削り取り前記透明層に達していることを特徴とするため、彫刻面の裏側からも隠し画像を観察可能となり、その隠し画像の濃淡のコントラストが非常に高いものが得られることとなった。
【００１４】
又、本発明の画像カードは、前記画像カードであって、画像の濃淡の度合いに呼応して、彫刻によって残された層の厚さを変化させることによる透かし彫り画像を形成し、前記縞状の溝により形成された画像と前記透かし彫りにより形成された画像とを同一平面に形成したことを特徴とするため、隠し画像と透かし彫りを同一平面に混在させることが可能となり、透かし彫り画像に注目されるため隠し画像の隠し効果がより高くなった。
【発明を実施するための最良の形態】
【００１５】
本発明の画像彫刻装置は、彫刻により画像を形成された画像カードにおいて隠し画像を埋め込むことができないという問題点を、画像の濃淡に呼応して縞状のパターンの角度をかえて彫刻する方法により解決した。
【実施例１】
【００１６】
まず、本発明実施例としての不透明層からなる画像カードについて説明する。
【００１７】
図１は、本発明実施例の画像カードを上方からみた例を示す。
【００１８】
図１は、英文字の「Ａ」に関し、文字部分については水平方向の縞状の溝により形成された縞状パターンで、文字で無い部分については垂直方向の縞状パターンで形成してある図である。前記の水平方向の縞状パターンと前記垂直方向の縞状パターンでは、線幅と線間の距離を等しく形成してあるので画像濃度が同じである。線のパターンがはっきりとしない距離分だけ画像を目から離してみれば、画像中に書かれているパターンが何であるか判別することが難しくなる。
【００１９】
実際の画像彫刻装置による彫刻では、１ｍｍ幅中に１０本の線を形成することも可能であるので、図１で示される矩形の幅が１３ｍｍにおさまるような細かい画像であり、上方からの肉眼では、「Ａ」文字の画像を認識することは難しく、隠し画像となる。
【００２０】
しかし、画像を斜め方向のそれぞれの縞状パターンに平行の方向から観察することにより、文字を判別可能となる。
【００２１】
図２（Ａ）に、従来技術による彫刻による透かし彫りした画像カード１００の断面の拡大図を示す。画像カード１００は、全てが不透明層１０１からなり、図中の（ｘ）、（ｙ）、（ｚ）のそれぞれの区画で厚さが異なるように彫刻によって形成されている。図中の視点Ｅａからみると各区画の厚みに呼応して透過光の強度が変わるために、（ｘ）、（ｙ）、（ｚ）の順に濃度が濃くなる画像が形成される。
【００２２】
図２（Ｂ）に、従来技術の透かし彫りに本発明実施例の縞状の溝を組み合わせて形成した例を示す。
【００２３】
画像カード１１０は、全てが不透明層１１１からなり、紙面手前から紙面奥方向に形成された縞状の溝１１５ｘ、１１５ｙ、１１５ｚが形成されている。これらの溝を溝の伸張方向に垂直な視点Ｅｂから観察すると、主として縞状の溝の壁面１１５ｗが観察される。又、前記の溝を溝の伸張方向に平行な視点（紙面上方の位置）から観察すると透明層を通して、光が全て透過する。そのため視点方向によりコントラストが異なるために、縞状の溝の方向によって画像が形成される。
【００２４】
図３（Ｄ）の場合に透かし彫り画像については、実施例１の場合と同様に溝の高低の面積の平均値により濃度が決まる。溝自体の幅は前述したように例えば１ｍｍ中に１０線存在するように非常に細かいので、溝のある位置無い位置での濃淡は平均されて認識されるために、透かし彫り画像は従来どおり認識される。
【００２５】
［実施例１の効果］
本実施例１により、縞状の溝によって形成された画像を不透明層からなる被彫刻板に彫刻によって形成し、かつ同一平面状に透かし彫りによる画像を重ね合わせた画像カードが可能となった。
【００２６】
同画像カードを彫刻面上方から透かし画像または反射画像で観察した際には、前記隠し画像は認識されない。
【実施例２】
【００２７】
次に、本発明実施例としての透明層と不透明層からなる画像カードについて説明する。
【００２８】
図１で行った縞状の溝によって形成された文字パターンについては、全く同じであるので省略する。
【００２９】
図３（Ａ）に、従来技術による彫刻による透かし彫りした画像カードの断面の拡大図を示す。画像カード１２０は、透明層１２３に接着された不透明層１２１からなる。透明層１２３と不透明層１２１からなる画像カードでは、彫刻は不透明層１２１側から行い、画像の観察は、彫刻面及びその裏面の両方から可能であるが、彫刻面からの観察については、図１（Ｂ）での説明と同じであるので、本実施例では、彫刻面の裏側（透明層１２３側）からの観察について説明する。
【００３０】
図３中の（ｘ）、（ｙ）、（ｚ）のそれぞれの区画で厚さが異なるように彫刻によって形成されている。図３（Ｃ）中の視点Ｅｃからみると各区画の不透明層１２１の厚みに呼応して透過光の強度が変わるために、（ｘ）、（ｙ）、（ｚ）の順に濃度が濃くなる画像が形成される。区画（ｘ）では、全ての不透明層１２１が彫刻により削り取られているので、一番光を通し明るくなる。
【００３１】
図３（Ｄ）に、従来技術の透かし彫りに本発明実施例の縞状の溝を組み合わせて形成した例を示す。
【００３２】
画像カード１３０は、透明層１３３と不透明層１３１からなり、紙面手前から紙面奥方向に形成された縞状の溝１３５ｘ、１３５ｙ、１３５ｚが形成されている。これらの溝は、その深さ方向に不透明層１３１の全てを彫刻に削り取って透明層１３３に達する位置まで削り取られている。
【００３３】
これらの溝を溝の伸張方向に垂直な視点Ｅｄから観察すると、主として縞状の溝の壁面１３５ｗが観察される。又、前記の溝を溝の伸張方向に平行な視点（紙面上方の位置）から観察すると主として、縞状の溝の底面１１５ｂが観察される。これら縞状の溝の壁面１１５ｗと底面１１５ｂは、同じ不透明層１１１であるが、その構造から光線の当たり具合が異なりコントラストが異なるために、縞状の溝の方向によって画像が形成される。
【００３４】
図２（Ｂ）の場合に透かし彫り画像については、溝の高低の面積の平均値により濃度が決まる。溝自体の幅は前述したように例えば１ｍｍ中に１０線存在するように非常に細かいので、溝のある位置無い位置での濃淡は平均されて認識されるために、透かし彫り画像は従来どおり認識される。
【００３５】
［実施例２の効果］
本実施例２により、縞状の溝によって形成された画像を透明層と不透明層からなる被彫刻板に彫刻によって形成し、かつ同一平面状に透かし彫りによる画像を重ね合わせた画像カードが可能となった。
【００３６】
本実施例２の隠し画像を縞状の溝と平行方向から観察すると、透過光が観察されるために、実施例１に比べて大きな輝度を得ることができ、隠し画像をより際立たせることが可能となった。
【００３７】
［その他］
上記の本発明実施例では、縞状の溝による隠し画像と透かし彫りによる画像とを重ねて形成した例について説明を行ったが、縞状の溝による隠し画像を透かし彫り画像と重ねずに形成する方法であってももちろんよい。その場合には、当該隠し画像を上方から透かして見た場合には、一様の濃度として認識される。
【００３８】
本発明実施例では、画像の濃淡を２値として、９０度の角度で交差する二つの縞状パターンを割り当てることによる画像の例を示したが、画像の濃淡は２値に限らず、３値やそれ以上（例えば８ビットで表現される２５６値）の値とすることも可能であり、それらの場合には、視点の角度を変えることにより、多種の画像を見せることが可能である。
【００３９】
本発明実施例で示したように、画像カードで形成される画像は文字であってもよいし、又、写真画像であっても良いし、図形であっても良い。
【００４０】
不透明層とは、透明ではないが透過光を通し、層の厚みよって透過光の減衰率が変化して、透かし彫りを実施できるような層である。
【図面の簡単な説明】
【００４１】
【図１】本発明実施例の画像カードに彫刻された縞状の溝によって形成された画像の例である（実施例１、２、３）。
【図２】従来型の画像カードと本実施例の画像カードを彫刻面から目視した際の段面図である（実施例１）。
【図３】従来型の画像カードと本実施例の画像カードを彫刻面の反対面から目視した際の段面図である（実施例２）。
【符号の説明】
【００４２】
１００  従来型の彫刻を施された画像カード（不透明層だけからなる画像カード）
１０１  不透明層
１１０  本発明実施例の画像カード（不透明層だけからなる画像カード）
１１１  不透明層
１１５ｂ  縞状の溝の底面
１１５ｗ  縞状の溝の壁面
１１５（ｘ、ｙ、ｚ）  縞状の溝
１２０  従来型の彫刻を施された画像カード（透明層と不透明層からなる画像カード
１２１  不透明層
１２３  透明層
１３０  本発明実施例の画像カード（透明層と不透明層からなる画像カード）
１３１  不透明層
１３３  透明層
１３５ｏ  透明層開口部
１３５ｗ  縞状の溝の壁面
１３５（ｘ、ｙ、ｚ）  縞状の溝
【図１】
2009119790.tif 000003
【図２】
2009119790.tif 000004
【図３】
2009119790.tif 000005